(57)【要約】【課題】複数枚の非接触ＩＣ記録媒体をカードケース内に収納した場合でも外部装置間での誤認識を防止することができる非接触ＩＣ記録媒体用カードケースを提供することを目的とする。【解決手段】カードケース１０を構成するケース本体部３０の内部に、非接触ＩＣカード６０及び非接触ＩＣカード７０を設けるとともに、これら非接触ＩＣカード６０及び非接触ＩＣカード７０との間に、リーダライタＰの電磁波送出面と直接対向し翳された非接触ＩＣカード６０に対する通信は可能とし、それ以外の非接触ＩＣカード７０に対する通信は不可とし、外部からのデータの送受を遮断する機能を備えた電磁波プロテクタ部材５０を設ける。【選択図】        図１
2009009340.tif 000002
【特許請求の範囲】
【請求項１】
両側面に、夫々ＩＣ記録媒体を収納する第一の収納部及び第二の収納部を設けたケース本体部と、当該ケース本体部の側面の一方を覆うとともに、前記ケース本体部に対して折り畳み自在に構成された蓋体ケース部とを備えた非接触ＩＣ記録媒体用カードケースであって、
前記第一の収納部と第二の収納部との間に、非接触ＩＣ記録媒体に対する通信は遮断する電磁波制御シートを備えることを特徴とする非接触ＩＣ記録媒体用カードケース。
【請求項２】
前記ケース本体部の一方の側面及び他方の側面には、前記第一の着磁部材及び第二の着磁部材がそれぞれ固設され、前記蓋体ケース部の一方の側面及び他方の側面には、前記第一の着磁部材及び第二の着磁部材に対して着磁自在な第一の被着磁部材及び第二の被着磁部材とがそれぞれ固設されていることを特徴とする請求項１に記載の非接触ＩＣ記録媒体用カードケース。
【請求項３】
前記蓋体ケース部は、
前記ケース本体部の一方の側面を覆うように構成される第一の蓋体ケースと、前記ケース本体部の他方の側面を覆うように構成される第二の蓋体ケースとを備えるとともに、前記第一の蓋体ケース及び前記第二の蓋体ケースの内部には、外部からの通信を遮断する通信遮断シートがそれぞれ設けられることを特徴とする請求項１または２に記載の非接触ＩＣ記録媒体用カードケース。
【請求項４】
前記蓋体ケース部は、
非接触ＩＣ記録媒体に対する通信は遮断する電磁波制御シートにより構成されることを特徴とする請求項１、２または３に記載の非接触ＩＣ記録媒体用カードケース。
【発明の詳細な説明】
【技術分野】
【０００１】
本発明は、複数枚の非接触ＩＣ（Integrated Circuite）カードを収納する非接触ＩＣ記録媒体用カードケースに関し、特に、リーダライタとの通信時の誤認識を防止することができる非接触ＩＣ記録媒体用カードケースに関する。
【背景技術】
【０００２】
近年では、ＲＦＩＤ（Radio Frequency Identification）技術を用いた非接触型ＩＣカード（以下、「非接触ＩＣカード」と言う）が電子マネーカードや定期券用のカードとして様々な用途で利用されている。特に、定期券として利用されている非接触ＩＣカードの場合、改札口に設けたリーダライタに定期券（非接触ＩＣカード）を翳すだけで、この定期券のデータ読み取ることができるため、利便性の高いシステムとして広く利用されている。
【０００３】
ここで、通常、定期券の枚数は１枚とは限らず複数（例えば、２枚）の定期券を専用のカードケースに入れて携帯することが多い。このため、複数の定期券（非接触ＩＣカード）が収納されているカードケースをリーダライタに翳した場合、実際に使用したい定期券（非接触ＩＣカード）以外の別の定期券（非接触ＩＣカード）のデータが読み取られるという通信時の読み取り不良（誤認識トラブル）などの不具合が発生する恐れがある。そこで、この種の非接触ＩＣカードによる通信時の誤認識トラブルを防止するカードケースについて種々の技術が開示されている（例えば、特許文献１）。
【０００４】
［従来の非接触ＩＣカードケースの構成］
以下、図７〜図９を参照して、従来のカードケースの構成の一例として、特許文献１に開示されたカードケースを例に説明する。 図７〜図９は、従来のカードケース１の構成を示す図である。このうち、図７は、カードケース１の全体構成を示す図を、図８は、非接触ＩＣカード５を使用する場合のカードケース１の使用形態（非接触ＩＣカード５の利用時の動作）を、図９は、非接触ＩＣカード６を使用する場合のカードケース１の使用形態（非接触ＩＣカード６の利用時の動作）をそれぞれ示している。
【０００５】
図７に示すように、カードケース１は、ほぼ同形状に形成されたケース部２及びケース部２´を備えるとともに、これらケース部２及びケース部２´の結合部に設けたヒンジ部３を支点としてＡ方向（図７の左側）或いはＢ方向（図７の右側）に向けて折り畳み自在に構成されている。また、ケース部２の内部には、上から電磁波プロテクタ部材４と非接触ＩＣカード５とが配設され、ケース部２´の内部には、上から非接触ＩＣカード６と電磁波プロテクタ部材４とがそれぞれ配設された状態で構成されている。電磁波プロテクタ部材４は、非接触ＩＣカード４、５とほぼ同形状の平板状に形成され、リーダライタＰ（図８）と非接触ＩＣカード４或いは、非接触ＩＣカード５との間で、電磁波の進行を減衰或いは遮断する機能を備えている。
【０００６】
以上のように構成されるカードケース１において、カードケース１の利用者が非接触ＩＣカード５（定期券）を使用する場合には、この非接触ＩＣカード５が下向きとなるように、ケース部２´をケース部２側（図１のＡ方向）に向けて折り畳むこととなり、同じく、利用者が非接触ＩＣカード６（定期券）を使用する場合には、この非接触ＩＣカード６が下向きとなるように、ケース部２をケース部２´側（図１のＢ方向）に向けて折り畳むこととなる。
【０００７】
すなわち、図８に示すように、ケース部２′をケース本体部３０のＡ方向側に折り畳んだ状態が、非接触ＩＣカード５を使用する時の状態となる。具体的には、同図に示すように、カードケース１内の非接触ＩＣカード５をリーダライタＰに翳すと、リーダライタＰの電磁波送出面９１から送出された電磁波は、非接触ＩＣカード５に到達できるため、この非接触ＩＣカード５とリーダライタＰとの間でのデータの送受信（通信）は可能となる。一方、リーダライタＰからの電磁波は、非接触ＩＣカード５から非接触ＩＣカード６に向けて直進しようとするが、この電磁波は、電磁波プロテクタ部材４により遮断されるため、非接触ＩＣカード６とリーダライタＰとの間での通信は不可となる。
【０００８】
一方、図９に示すように、ケース部２をケース本体部３０のＢ方向側（図１）に折り畳んだ状態が、非接触ＩＣカード６を使用する時の状態となる。具体的には、同図に示すように、カードケース１内の非接触ＩＣカード６をリーダライタＰに翳すと、リーダライタＰから送出された電磁波は、非接触ＩＣカード６に到達できるため、この非接触ＩＣカード６とリーダライタＰとの間での通信は可能となる。一方、リーダライタＰからの電磁波は、非接触ＩＣカード６から非接触ＩＣカード５に向けて直進しようとするが、この電磁波は、電磁波プロテクタ部材４により遮断されるため、非接触ＩＣカード５とリーダライタＰとの間での通信は不可となる。
【０００９】
【特許文献１】特開２００６−０１８７８５号公報
【発明の開示】
【発明が解決しようとする課題】
【００１０】
ところが、上述した従来技術として開示されているカードケース１の場合、以下のような問題が生じる。すなわち、図８及び図９に示すように、ケース部２及びケース部２´同士が正確に折り畳まれている場合は、特に問題がないが、例えば、ケース部２及びケース部２´の当接面ずれたり、ケース部２とケース部２´との間に物が挟まった場合には、実際に通信を目的とするカード以外のカードデータが読み取られるという問題が発生する。以上のことから、カードケース内に複数の非接触ＩＣ記録媒体が収納されている場合であってもリーダライタとのデータの送受信時（通信時）には、通信目的とする非接触ＩＣカードのみを対象とすることができ、一方、他の非接触ＩＣカードとの通信を不可とし、これによって、通信時、誤認識を回避することができるカードケースの実現が望まれている。
【００１１】
そこで、この発明は、上述した従来技術の課題を解決するためになされたものであり、カードケース内に複数の非接触ＩＣ記録媒体が収納されている場合であってもリーダライタとのデータの送受信時（通信時）には、使用目的とする非接触ＩＣカード１０のみの通信を可能とし、他の非接触ＩＣカードとの通信を不可とし、これによって、通信時の誤認識を回避することができる非接触ＩＣ記録媒体用のカードケースを提供することを目的とする。
【課題を解決するための手段】
【００１２】
上述した課題を解決し、目的を達成するため、請求項１に記載の発明は、両側面に、夫々ＩＣ記録媒体を収納する第一の収納部及び第二の収納部を設けたケース本体部と、当該ケース本体部の側面の一方を覆うとともに、前記ケース本体部に対して折り畳み自在に構成された蓋体ケース部とを備えた非接触ＩＣ記録媒体用カードケースであって、前記第一の収納部と第二の収納部との間に、非接触ＩＣ記録媒体に対する通信は遮断する電磁波制御シートを備えることを特徴とする。
【００１３】
また、請求項２に記載の発明は、上記発明において、前記ケース本体部の一方の側面及び他方の側面には、第一の着磁部材及び第二の着磁部材がそれぞれ固設され、前記蓋体ケース部の一方の側面及び他方の側面には、前記第一の着磁部材及び第二の着磁部材に対して着磁自在な第一の被着磁部材及び第二の被着磁部材がそれぞれ固設されていることを特徴とする。
【００１４】
また、請求項３に記載の発明は、上記発明において、前記蓋体ケース部は、前記ケース本体部の一方の側面を覆うように構成される第一の蓋体ケースと、前記ケース本体部の他方の側面を覆うように構成される第二の蓋体ケースとを備えるとともに、前記第一の蓋体ケース及び前記第二の蓋体ケースの内部には、外部からの通信を遮断する通信遮断シートがそれぞれ設けられることを特徴とする。
【００１５】
また、請求項４に記載の発明は、上記発明において、前記蓋体ケース部は、非接触ＩＣ記録媒体に対する通信は遮断する電磁波制御シートにより構成されることを特徴とする。
【発明の効果】
【００１６】
本発明によれば、カードケースは、両側面に、夫々ＩＣ記録媒体を収納する第一の収納部及び第二の収納部を設けたケース本体部と、当該ケース本体部の側面の一方を覆うとともに、ケース本体部に対して折り畳み自在に構成された蓋体ケース部とを備えるともに、第一の収納部と第二の収納部との間に、非接触ＩＣ記録媒体に対する通信は遮断する電磁波制御シートを備える構成としているので、外部装置との通信時に、使用目的とする非接触ＩＣ記録媒体のみの通信を可能とし、他の非接触ＩＣ記録媒体との通信を不可とすることができるため、通信時の誤認識トラブルを防止することができ、これによって、カードケース内に複数の非接触ＩＣ記録媒体を収納することができる。また、ケース本体部の内部に複数の非接触ＩＣ記録媒体を隣接した状態で収納することができるので、製造コストの削減を図ることができる。
【００１７】
また、本発明によれば、ケース本体部の一方の側面及び他方の側面には、第一の着磁部材及び第二の着磁部材がそれぞれ固設され、蓋体ケース部の一方の側面及び他方の側面には、第一の着磁部材及び第二の着磁部材に対して着磁自在な第一の被着磁部材及び第二の被着磁部材がそれぞれ固設されているので、不用意に蓋体ケース部とケース本体部とが離れて折り畳み状態が開放することを確実に防止することができ、これによって、折り畳み方向が意図しない方向となることを防止することができる。
【００１８】
また、本発明によれば、蓋体ケース部は、ケース本体部の一方の側面を覆うように構成される第一の蓋体ケースと、ケース本体部の他方の側面を覆うように構成される第二の蓋体ケースとを備えるとともに、第一の蓋体ケース及び第二の蓋体ケースの内部には、通信を遮断する通信遮断シートがそれぞれ設けられるので、外部から送信される通信を遮断することができ、これによって、第三者による外部からの不正な通信アクセスを確実に遮断することができ、これによって、効果的なスキミング対策を実現することができる。
【００１９】
また、本発明によれば、蓋体ケース部は、非接触ＩＣ記録媒体に対する通信は遮断する電磁波制御シートにより構成されるので、外部から送信される通信を遮断することができ、これによって、第三者による外部からの不正な通信アクセスを確実に遮断することができ、これによって、効果的なスキミング対策を実現することができる。
【発明を実施するための最良の形態】
【００２０】
以下に添付図面を参照して、本発明に係る非接触ＩＣカード用のカードケースの好適な実施例を詳細に説明する。ここで、図１及び図２は、実施例１に係る非接触ＩＣカード用のカードケースの概要および特徴を説明する構成図である。また、図１は、非接触ＩＣカード６０を使用する場合のカードケース１０の折り畳み状態を、図２は、非接触ＩＣカード７０を使用する場合のカードケース１０の折り畳み状態をそれぞれ示している。なお、以下に示す実施例１によりこの発明が限定されるものではない。
【実施例１】
【００２１】
［非接触ＩＣカード用のカードケース１０の特徴及び構成］
先ず、図１及び図２を用いて、本実施例１に係る非接触ＩＣカード用のカードケース１０の特徴及び構成について説明する。図１及び図２に示すように、カードケース１０は、それぞれ横長矩形状のほぼ同一寸法に形成された蓋体ケース部２０とケース本体部３０とで構成され、これら蓋体ケース部２０とケース本体部３０とは、ヒンジ部４０を支点として両方向（図１で示す左方向或いは図２で示す右方向）に向けて、蓋体ケース部２０が折り畳み自在に構成されている。
【００２２】
すなわち、図１に示すように、蓋板ケース部２０をケース本体部３０の片側（図１の左側）に向けて折り畳んだ状態では、蓋板ケース部２０の側面２２と、ケース本体部３０の側面３２とが当接し、図２に示すように、蓋板ケース部２０をケース本体部３０の右側に向けて折り畳んだ状態では、蓋板ケース部２０の側面２１と、ケース本体部３０の側面３１とが当接する。
【００２３】
ここで、本実施例１のカードケース１０は、ほぼ同形状の蓋板ケース部２０とケース本体部３０とを有する折り畳み自在のケース構成とするとともに、ケース本体部３０の内部に複数（２個）の非接触ＩＣカード６０及び非接触ＩＣカード７０を収納可能とし、これら非接触ＩＣカード６０及び非接触ＩＣカード７０は、リーダライタＰとの通信の可否（データの読み書き）を制御する電磁波プロテクタ部材５０を介して、隣接させて配設したことに特徴がある。
【００２４】
すなわち、図１及び図２に示すように、ケース本体部３０のほぼ中央部には、電磁波の透過を制御する電磁波プロテクタ部材５０が設けられ、この電磁波プロテクタ部材５０の両側の位置（図１及び図２の左右の位置）には、それぞれ非接触ＩＣカード６０及び非接触ＩＣカード７０とがそれぞれ対向するように設けられている。
【００２５】
電磁波プロテクタ部材５０は、非接触ＩＣカード６０及び非接触ＩＣカード７０とほぼ同形状の平板状に形成され、リーダライタＰ（図３）と非接触ＩＣカード６０或いは、非接触ＩＣカード７０との間で、電磁波の進行を減衰或いは遮断する機能を備えている。
【００２６】
具体的に説明すると、この電磁波プロテクタ部材５０は、リーダライタＰの電磁波送出面９１と直接対向する位置に翳された非接触ＩＣカード（図３の例では、非接触ＩＣカード６０）とリーダライタＰとのデータの送受（通信）は許容し、リーダライタＰと直接対向しない非接触ＩＣカード（図３の例では、非接触ＩＣカード７０）とリーダライタＰとの通信は遮断する機能を備えている。
【００２７】
なお、ここで言う電磁波プロテクタ部材５０により行なわれる通信の遮断とは、リーダライタＰから送出された電磁波を非接触ＩＣカード６０或いは非接触ＩＣカード７０が受信できない状態（リーダライタＰと非接触ＩＣカード６０或いは非接触ＩＣカード７０間が通信不可）となることを示す。
【００２８】
すなわち、通常、リーダライタＰの電磁波送出面９１に非接触ＩＣカードが収納されているカードケースを翳すと、この電磁波送出面９１から送出された誘導電磁波を非接触ＩＣカードの内部に設けたアンテナ（図示せず）が受信し、このアンテナで発生させた誘導起電力により生じた駆動力でＩＣチップが駆動する。
【００２９】
また、誘導電磁波に重畳されている電磁波によりＩＣチップ内のデータを読み取ることを行なっているが、本実施例１では、図１及び図２に示すように、非接触ＩＣカード６０及び非接触ＩＣカード７０との間に電磁波プロテクタ部材５０を配置することにより、リーダライタＰに対するカードケース１０の翳し部位に応じて（非接触ＩＣカード６０或いは非接触ＩＣカード７０の対向部位）、選択的にリーダライタＰとの通信の可否を制御することができる。
【００３０】
具体的に説明すると、非接触ＩＣカード６０或いは非接触ＩＣカード７０の使用選択により、リーダライタＰに直接対向させ翳す非接触ＩＣカード６０或いは非接触ＩＣカード７０を適時選択することができるため、この電磁波プロテクタ部材５０は、翳す位置によって、リーダライタＰとの間での通信の可否を制御し、非接触ＩＣカード６０或いは非接触ＩＣカード７０のデータを選択的に読み込む両面読み込みプロテクタとしての機能を備えている。
【００３１】
また、ケース本体部３０の側面３１及び側面３２には、それぞれ透過面部８０が形成され、この透過面部８０によりケース本体部３０の内部に収納されている非接触ＩＣカード６０或いは非接触ＩＣカード７０を目視により確認することができる。なお、これら２つの非接触ＩＣカード６０及び非接触ＩＣカード７０は、カードを挿入するための通孔（図示せず）からケース本体部３０の内部に収納することができる。
【００３２】
また、蓋板ケース部２０の内部には、非接触ＩＣカード６０及び非接触ＩＣカード７０の形状よりも僅かに大きい寸法に選定された電磁波プロテクタ部材２３が設けられている。ここで、この電磁波プロテクタ部材２３は、ケース本体部３０側に設けられた電磁波プロテクタ部材５０とは相違し、両方向の電磁波の進行を遮断する電磁波シールド部材（両面非読み込みプロテクタ）として機能するシールド部材である。
【００３３】
そして、このように、ケース本体部３０の片側（図１では、側面３２、図２では、側面３１）は、蓋体ケース部２０により覆われた状態で折り畳む構成としているので、使用者が透過面部８０を通じて見ることができるのは、図１では、実際に使用する非接触ＩＣカード６０となり、図２では、同じく実際に使用する非接触ＩＣカード７０となるため、カードケース１０の利用時の使い勝手を図ることができる。
【００３４】
［非接触ＩＣカード６０の利用形態］
次に、図３及び図４を参照して、カードケース１０の内部に収納された非接触ＩＣカード６０或いは非接触ＩＣカード７０を選択的に使用した場合の動作について詳細に説明する。図３は、非接触ＩＣカード６０の利用時の動作を、図４は、非接触ＩＣカード７０の利用時の動作をそれぞれ説明する図である。
【００３５】
図３は、非接触ＩＣカード１０を使用する状態を示す説明図である。同図に示すように、この状態でカードケース１０をリーダライタＰの電磁波送出面に９１近接させ、ケース本体部３０の側面３１をリーダライタＰに翳した状態では、リーダライタＰから送出された電磁波は、非接触ＩＣカード６０に到達し、この非接触ＩＣカード６０とリーダライタＰとの間での通信は可能となるため、データの送受信が行なわれる。具体的には、リーダライタＰにより非接触ＩＣカード６０のデータの読み取りが可能となる。
【００３６】
一方、同じくリーダライタＰから送出され非接触ＩＣカード６０から非接触ＩＣカード７０に向けて送出される電磁波は、非接触ＩＣカード７０の前側（図３の下側）にある電磁波プロテクタ部材５０により遮断されるため、電磁波は、非接触ＩＣカード７０にまで到達することなく、これにより、非接触ＩＣカード７０が作動することはない。
【００３７】
すなわち、この場合、実際にカードケース１０の使用者が使用対象としている非接触ＩＣカード６０とリーダライタＰとの間での通信のみが可能となる。また、この場合、リーダライタＰではなく外部からの通信なども蓋体ケース部２０に設けた電磁波プロテクタ部材２３により遮断されるため、非接触ＩＣカード７０の作動や不正な通信アクセスは防止される。
【００３８】
次に、図４は、非接触ＩＣカード７０を使用する状態を示す説明図である。同図に示すように、この状態でカードケース１０をリーダライタＰの電磁波送出面に９１近接させ、ケース本体部３０の側面３２をリーダライタＰに翳した状態では、リーダライタＰ送出された電磁波は、非接触ＩＣカード７０に到達し、この非接触ＩＣカード７０とリーダライタＰとの間での通信は可能となるため、データの送受信が行なわれる。具体的には、リーダライタＰと非接触ＩＣカード７０との通信が可能となり、データの送受信による読み取りが可能となる。
【００３９】
一方、同じくリーダライタＰから送出され非接触ＩＣカード７０から非接触ＩＣカード６０に向けて送出される電磁波は、非接触ＩＣカード６０の前側（図４の下側）にある電磁波プロテクタ部材５０により遮断されるため、電磁波は、非接触ＩＣカード６０にまで到達することなく、これにより、非接触ＩＣカード６０が作動することはない。すなわち、この場合、実際にカードケース１０の使用者が使用対象としている非接触ＩＣカード７０とリーダライタＰとの間での通信のみが可能となる。
【００４０】
また、この場合、リーダライタＰではなく外部からの通信なども蓋体ケース部２０に設けた電磁波プロテクタ部材２３により遮断されるため、非接触ＩＣカード６０の作動や不正な通信アクセスは防止される。
【００４１】
上述してきたように、本実施例１によれば、カードケース１０を構成するケース本体部３０の内部には、リーダライタＰとデータの送受信（通信）を行なう非接触ＩＣカード６０及び非接触ＩＣカード７０を設けるとともに、これら非接触ＩＣカード６０及び非接触ＩＣカード７０間には、リーダライタＰの電磁波送出面９１と直接対向する非接触ＩＣカード６０に対する通信は可能とし、それ以外の非接触ＩＣカード７０に対する通信は遮断する電磁波プロテクタ部材５０を設ける構成としているので、リーダライタＰとの通信時に、使用対象とする非接触ＩＣカードのみの通信を可能とし、他の非接触ＩＣカードとの通信を不可とすることができるため、リーダライタＰとの通信時の誤認識トラブルを防止することができる。
【実施例２】
【００４２】
次に、図５を参照して本実施例２に係る非接触ＩＣカード用のカードケース１０ａについて説明する。図５は、本実施例３のカードケース１０ａの特徴及び構成を示す図を示している。
【００４３】
同図に示すように、カードケース１０ａを構成する蓋体ケース部２０の一方の側面２１及び他方の側面２２の下端部（図５の下側）には、一対の磁石部材８２がそれぞれ固設されている。同様に、ケース本体部３０の側面３１及び側面３２に設けた透過面部８０の下端部（図５の下側）には、蓋体ケース部２０の磁石部材８２に対して、それぞれ着磁自在な一対の磁石部材８１が固設されている。
【００４４】
従って、蓋体ケース部２０をケース本体部３０に対して折り畳んだ場合、蓋体ケース部２０の片側の磁石部材８２は、ケース本体部３０の片側の磁石部材８１に着磁することとなる。
【００４５】
これにより、例えば、何らかの原因で折り畳まれた状態の蓋体ケース部２０とケース本体部３０とがズレたり開放しようとしても、磁石部材８１と磁石部材８２との着磁により、これら蓋体ケース部２０とケース本体部３０とのズレ及び不用意な開放を防止することができる。
【００４６】
すなわち、カードケース１０ａの使用者の意図に反して不用意に蓋体ケース部２０とケース本体部３０が開放した場合には、折り畳み方向が逆方向となり、利用する非接触ＩＣカードとは別の非接触ＩＣカードをリーダライタＰに翳すなど不具合が発生することを確実に防止することができる。
【００４７】
上述したように、本実施例２の非接触ＩＣカードケース１０ｂの場合、カードケース１０ａを構成する蓋体ケース部２０及びケース本体部３０には、これら蓋体ケース部２０とケース本体部３０の当接がズレたり、不用意に開放することを防止する磁石部材８１と磁石部材８２とが固設されているため、不用意に蓋体ケース部２０とケース本体部３０とが離隔したり折り畳み状態が開放することを確実に防止することができる。
【００４８】
これによって、折り畳み方向が意図しない方向となることを回避することができ、この結果、使用対象となる非接触ＩＣカードとは別の非接触ＩＣカードをリーダライタＰに翳すことなどの不具合を確実に防止することができる。
【実施例３】
【００４９】
次に、図６を参照して本実施例３に係る非接触ＩＣカード用のカードケース１０ｂについて説明する。図６は、本実施例３のカードケース１０ｂの特徴及び構成を示す図を示している。
【００５０】
同図に示すように、前述した実施例１、２で示したカードケース１０、１０ａと本実施例３のカードケース１０ｂとの相違点は、カードケースを構成する蓋体ケース部２０及びケース本体部３０のうちの蓋体ケース部２０を、蓋体ケース部２０ａ及び蓋体ケース部２０ｂとから成る２分割構造とし、これら一対の蓋体ケース部２０ａ及び蓋体ケース部２０ｂとによりケース本体部３０の側面３１及び側面３２を覆う構成としたことに特徴がある。
【００５１】
すなわち、図６に示すように、カードケース１０ｂを構成する蓋板ケース部は、実施例１、２で示した蓋体ケース部２０の幅寸法のほぼ半分程度の幅寸法に形成された一対の蓋板ケース部２０ａと蓋板ケース部２０ｂとで構成されている。蓋体ケース部２０ａを左方向（図６の左側）に向けて折り畳んだ状態では、この蓋体ケース部２０の側面２２がケース本体部３０の側面３２と当接する。
【００５２】
また、蓋体ケース部２０ｂを右方向（図６の右側）に向けて折り畳んだ状態では、この蓋体ケース部２０の側面２１がケース本体部３０の側面３１と当接する。このように、カードケース１０ｂを構成するケース本体部３０を蓋体ケース部２０ａ及び蓋体ケース部２０ｂにより両側から覆うことができるため、外部からの通信アクセスは、蓋体ケース部２０ａ及び蓋体ケース部２０ｂの内部に設けた電磁波プロテクタ部材２３により確実に遮断することができる。
【００５３】
上述してきたように、本実施例３では、非接触ＩＣカードケース１０ｂを構成する蓋体ケース部は、ケース本体部３０の一方の側面３２を覆うように構成された蓋体ケース部２０ａと、ケース本体部３０の他方の側面３１を覆うように構成された蓋体ケース部２０ｂを備えるとともに、これら蓋体ケース部２０ａ及び蓋体ケース部２０ｂの内部には、外部からの通信を遮断する電磁波プロテクタ部材２３がそれぞれ設けられるので、外部からの不正な通信アクセスを確実に遮断することができ、これによって、効果的なスキミング対策を実現することができる。
【実施例４】
【００５４】
また、上述した実施例１〜３に示したカードケース１０、１０ａ、１０ｂは、定期券用の非接触ＩＣカードを収納するカードケースに限定されずネックストラップを取り付けて社内で使用する従業員ホルダー（ＩＤホルダー）として利用することもでき、この場合、利便性の高いＩＤホルダーを実現することができる。
【００５５】
（付記１）両側面に夫々ＩＣ記録媒体を収納する第一の収納部及び第二の収納部を設けたケース本体部と、当該ケース本体部の側面の一方を覆うとともに、前記ケース本体部に対して折り畳み自在に構成された蓋体ケース部とを備えた非接触ＩＣ記録媒体用カードケースであって、前記第一の収納部と第二の収納部との間に、非接触ＩＣ記録媒体に対する通信は遮断する電磁波制御シートを備えることを特徴とする非接触ＩＣ記録媒体用カードケース。
【００５６】
（付記２）前記ケース本体部の一方の側面及び他方の側面には、第一の着磁部材及び第二の着磁部材がそれぞれ固設され、前記蓋体ケース部の一方の側面及び他方の側面には、前記第一の着磁部材及び第二の着磁部材に対して着磁自在な第一の被着磁部材及び第二の被着磁部材とがそれぞれ固設されていることを特徴とする付記１に記載の非接触ＩＣ記録媒体用カードケース。
【００５７】
（付記３）前記蓋体ケース部は、前記ケース本体部の一方の側面を覆うように構成される第一の蓋体ケースと、前記ケース本体部の他方の側面を覆うように構成される第二の蓋体ケースとを備えるとともに、前記第一の蓋体ケース及び前記第二の蓋体ケースの内部には、外部からの通信を遮断する通信遮断シートがそれぞれ設けられることを特徴とする付記１または２に記載の非接触ＩＣ記録媒体用カードケース。
【００５８】
（付記４）前記蓋体ケース部は、非接触ＩＣ記録媒体に対する通信は遮断する電磁波制御シートにより構成されることを特徴とする付記１、２または３に記載の非接触ＩＣ記録媒体用カードケース。
【００５９】
（付記５）前記電磁波制御シートの形状及び寸法は、前記第一の非接触型ＩＣ記録媒体及び前記第二の非接触型ＩＣ記録媒体の形状及び寸法よりも僅かに大きい形状及び寸法となるように選定されることを特徴とする付記１〜付記４のいずれか一つに記載の非接触ＩＣ記録媒体用カードケース。
【００６０】
以上のように、本発明に係る非接触ＩＣ記録媒体用カードケースは、リーダライタからの無線による指示に応答して動作する複数枚の非接触ＩＣカードを収納する非接触ＩＣ記録媒体用カードケースに有用であり、特に、相互カード間での誤認識を防止することができる非接触ＩＣ記録媒体用カードケースに適する。
【図面の簡単な説明】
【００６１】
【図１】実施例１に係る非接触ＩＣカードケースの特徴及び構成を説明する図である（その１）。
【図２】実施例１に係る非接触ＩＣカードケースの特徴及び構成を説明する図である（その２）。
【図３】図１に示した非接触ＩＣカードの利用時の動作を説明する図である（その１）。
【図４】同非接触ＩＣカードの利用時の動作を説明する図である（その２）。
【図５】実施例２に係る非接触ＩＣカードケースの特徴及び構成を説明する図である。
【図６】実施例３に係る非接触ＩＣカードケースの特徴及び構成を説明する図である。
【図７】従来のカードケースの構成を説明する図である。
【図８】図７に示した非接触ＩＣカードの利用時の動作を説明する図である（その１）。
【図９】同非接触ＩＣカードの利用時の動作を説明する図である（その２）。
【符号の説明】
【００６２】
１、１０、１０ａ、１０ｂ  カードケース
２、２′  ケース部
３、４０  ヒンジ部
４、５０  電磁波プロテクタ部材
５、６、６０、７０  非接触ＩＣカード
２０、２０ａ、２０ｂ  蓋体ケース部
２１、２２、３１、３２  側面
３０  ケース本体部
２１、２２、３１、３２  側面
【図１】
2009009340.tif 000003
【図２】
2009009340.tif 000004
【図３】
2009009340.tif 000005
【図４】
2009009340.tif 000006
【図５】
2009009340.tif 000007
【図６】
2009009340.tif 000008
【図７】
2009009340.tif 000009
【図８】
2009009340.tif 000010
【図９】
2009009340.tif 000011